(57)【特許請求の範囲】
【請求項１】
係合凹部を有するハンドル挿入孔が形成されたケースと、
前記ケースの裏側で扉用のロック機構に連結されるとともに前記ハンドル挿入孔に回動可能に挿入され、前記係合凹部に対向する位置にラッチ用開口が形成された回動ブッシュと、
前記回動ブッシュの軸方向にスライド可能に挿入されるとともに、前記軸方向に対して直交方向にラッチ挿入孔とスライダ挿入孔とが形成された軸部を有するハンドルと、
前記軸方向となる前記回動ブッシュと前記軸部との間に介在し、前記ハンドルを前記ケース表面から突出させる方向へ付勢するスプリングと、
バネ付勢され、前記ラッチ挿入孔及び前記ラッチ用開口を移動して前記係合凹部に係入または離脱するとともに、該係合凹部に対する係入時に、前記ハンドルの前記ケース表面からの突出を阻止するラッチと、
前記スライダ挿入孔に挿入されて前記ラッチに接して該ラッチの前記係合凹部に対する係入又は離脱の規制をなし得るスライダと、
前記スライダに隣接して設けられ、該スライダを前記ラッチが係合凹部から離脱しうるように移動させるカム機構と、
前記カム機構のカムを回転する施解錠用モータとを備え、
施解錠用モータで前記カムを回転して前記スライダを移動させ、前記ラッチを係合凹部から離脱させることで前記ハンドルを突出可能とするようにした扉用錠装置において、
前記カム機構を、前記施解錠用モータの出力軸に固定されたカムと、該カムと前記スライダとの間に設けられ該カムの回動により該スライダを押動するレバーとで構成したことを特徴とする扉用錠装置。
【発明の詳細な説明】
【技術分野】
【０００１】
本発明は、例えば自動販売機の扉の開閉を規制するとともに、非常解錠可能な扉用電気錠に関する。
【背景技術】
【０００２】
この種の扉用電気錠として、例えば、特開２００１−２０５７５号公報（特許文献１）、特開２００１−３２５８９号公報（特許文献２）に開示された扉用電気錠が知られている。
【０００３】
特許文献１のものは、扉用電気錠を非常解錠するためのエマージェンシーカムの突起にワイヤの一端を取り付け、そのワイヤの他端をシリンダ錠に取り付け、このシリンダ錠により扉用電気錠を非常解錠するようにしている。
【０００４】
また、特許文献１及び２の扉用電気錠は、ハンドルの軸部と回動ブッシュ内にスライダを移動させ、回動ブッシュに配設されたラッチをスライダの窪み部に移動させることで、ハンドルの軸部のケースに対する係合を解錠し、バネによりハンドルを突出させて、手動操作により自動販売機等の扉を開閉できるようにするものである。また、この扉用電気錠を解錠する際には、モータに固定されたモータカムを回動することで上記スライダを移動させるようにしている。
【特許文献１】特開２００１−２０５７５号公報
【特許文献２】特開２００１−３２５８９号公報
【発明の開示】
【発明が解決しようとする課題】
【０００５】
前記従来の扉用電気錠は、スライダに直接接触するモータカムの回動によりスライダを移動するようにしている。モータカムを回動するモータは本体部に大きさがあり、モータカムにより回動されるスライダは回動ブッシュ２内に収容できる範囲だけ移動させる必要がある。モータ軸にスライダを近接配置できないため、モータカムはスライダに当接する位置迄、拡径しなければならず、モータカムが大きくなり、扉用錠装置自体のサイズが大きくなるという問題がある。
【０００６】
本発明は、施解錠用モータでカムを回転してスライダを移動させ、ラッチを係合凹部から離脱させることでハンドルを突出可能とするようにした扉用錠装置において、カムのサイズを小さくして装置自体のサイズを小さくした扉用錠装置を提供することを課題とする。
【課題を解決するための手段】
【０００７】
請求項１の扉用錠装置は、係合凹部を有するハンドル挿入孔が形成されたケースと、
前記ケースの裏側で扉用のロック機構に連結されるとともに前記ハンドル挿入孔に回動可能に挿入され、前記係合凹部に対向する位置にラッチ用開口が形成された回動ブッシュと、前記回動ブッシュの軸方向にスライド可能に挿入されるとともに、前記軸方向に対して直交方向にラッチ挿入孔とスライダ挿入孔とが形成された軸部を有するハンドルと、
前記軸方向となる前記回動ブッシュと前記軸部との間に介在し、前記ハンドルを前記ケース表面から突出させる方向へ付勢するスプリングと、バネ付勢され、前記ラッチ挿入孔及び前記ラッチ用開口を移動して前記係合凹部に係入または離脱するとともに、該係合凹部に対する係入時に、前記ハンドルの前記ケース表面からの突出を阻止するラッチと、
前記スライダ挿入孔に挿入されて前記ラッチに接して該ラッチの前記係合凹部に対する係入又は離脱の規制をなし得るスライダと、前記スライダに隣接して設けられ、該スライダを前記ラッチが係合凹部から離脱しうるように移動させるカム機構と、前記カム機構のカムを回転する施解錠用モータとを備え、施解錠用モータで前記カムを回転して前記スライダを移動させ、前記ラッチを係合凹部から離脱させることで前記ハンドルを突出可能とするようにした扉用錠装置において、前記カム機構を、前記施解錠用モータの出力軸に固定されたカムと、該カムと前記スライダとの間に設けられ該カムの回動により該スライダを押動するレバーとで構成したことを特徴とする。
【発明の効果】
【０００８】
請求項１の扉用錠装置によれば、カム機構のカムとスライダとの間にレバーを設け、カムによりレバーを介してスライダを押動（移動）するようにしたので、カムがレバーと接触する部分とレバーがスライダと接触する部分の距離（実施形態の押圧部の厚み）だけ、カムの最大半径を小さくすることができ、カム及び扉用錠装置のサイズを小さくすることができる。
【発明を実施するための最良の形態】
【０００９】
以下、図面を参照して本発明の一実施の形態を説明する。図１〜図６は本発明の実施形態の扉用錠装置の構造を示す図であり、図１は実施形態の扉用錠装置の施錠状態を示す一部破砕平面図及び縦断面図、図２は同施錠状態の水平断面図、図３は同扉用錠装置のカム機構を示す図、図４はカムの回動状態を示す図、図５は同扉用錠装置の解錠状態を示す一部破砕平面図及び縦断面図、図６は同解錠状態でハンドルを押圧した状態の一部破砕平面図及び縦断面図、図７はハンドルのポップアップ状態を示す水平断面図及び縦断面図である。
【００１０】
この扉用錠装置は、金属製のケース１と、そのケース１内に設けられる回動ブッシュ２と、回動ブッシュ２内に嵌合されたハンドル３と、ハンドル３をケース１の表面に向けて付勢するスプリング４と、ハンドル３の突出の規制を行う一対のラッチ５、５（図１(A) 及び図２参照）と、減速器を備えたモータ等から成る「施解錠用モータ」としてのモータユニット６と、後述のカム機構部７と、このカム機構部７により駆動されるスライダ８とを備えている。そして、この扉用錠装置は自動販売機の扉の表面に取り付けられている。
【００１１】
ケース１の表面には、長手方向に延びる浅底のレバー格納凹部１１が形成され、このレバー格納凹部１１の片側には深底のハンドル挿入孔１２が穿設されている。また、ケース１の裏側にはハンドル挿入孔１２の反対側にモータ室１３が形成されている。
【００１２】
ハンドル挿入孔１２には、一対のラッチ５、５が係合する係合凹部１４、１４（図１(A) 及び図２参照）が形成されている。図２に示すように、係合凹部１４、１４は、ケース１の裏面から表面に向けて切り欠かれており、その切り欠き範囲は、ハンドル３の没入位置で一対のラッチ５、５が係合するように調整されている。また、係合凹部１４の幅は、図１(A) に示すようにラッチ５の幅よりも若干広く形成されている。
【００１３】
回動ブッシュ２は略円筒カップ状に形成されており、その周囲には１８０°離間した２箇所にラッチ用開口２１、２１（図１(A) 参照）が形成されるとともに、このラッチ用開口２１，２１から９０°離間した位置にスライダ用開口２２（図１(A) 参照）が形成されている。ラッチ用開口２１、２１は、係合凹部１４、１４に対向して形成され、スライダ用開口２２は、ラッチ用開口２１に対して９０°回転した位置にてレバー格納凹部１１の位置まで切り欠き形成されている（図２参照）。また、回動ブッシュ２の表側の開口部内には一対のラッチ５、５に対するストッパ部分２３（図２参照）が取り付けられ、さらに、後方内壁には、スプリング４の一端が係合する環状段部２４が形成されている（図２参照）。
【００１４】
なお、回動ブッシュ２の後方外面には、二つのネジ２５、２５により図示しない施錠カムが取り付けられ、この扉用電気錠のハンドル３の手動回動により回動ブッシュ２及び施錠カムが回動し、図示しない連結ロッドにより扉のロック状態が解除される。
【００１５】
ハンドル３は、回動ブッシュ２の軸方向に対して移動可能に挿入される軸部３１と、この軸部３１の前端部から直交方向に延在するレバー部３２とから成り、軸部３１が回動ブッシュ２の後端に向けて移動してハンドル３が没入した状態では、レバー部３２がレバー格納凹部１１に収納される。
【００１６】
軸部３１の後端部には、ハンドル３の没入時に係合凹部１４、１４（図２及び図３参照）に対向するラッチ挿入孔３１ａ、３１ａ（図１(A) 及び図２参照）と、スライダ用開口２２に対向するスライダ挿入孔３１ｂとが形成されている。さらに、軸部３１の後端部には、スプリング４の他端が係合する環状凹部３１ｃ（図２参照）が形成されている。なお、軸部３１は、一部が中空に形成されており、レバー部３２にはこの中空部分に対応する位置には、十分に堅い金属で形成されたガードキャップ３２ａが固着されている。
【００１７】
回動ブッシュ２の内部でハンドル３との間に配設されたスプリング４は、図２及び図７に示すように、圧縮型の円錐スプリングであり、長径となる一端が回動ブッシュ２の環状段部２４（図２）に係合し、短径となる他端がハンドル３の環状凹部３１ｃに係合するようになっている。
【００１８】
図２に示すように、一対のラッチ５、５は、ラッチ挿入孔３１ａ、３１ａに挿入され、それぞれのバネ軸５ａ、５ａの間に引張バネ５１の端部を係合することによりバネ付勢された状態で対向配置されている。これにより、ラッチ５、５は突出部５ｂ、５ｂをスライダ８に接触された状態で配置されている。そして、ラッチ５、５は、引張バネ５１の付勢力でラッチ挿入孔３２内を摺動することにより、突出部５ｂ、５ｂが後述するスライダ８の窪み８ｂに係入される。
【００１９】
スライダ８は、スライダ挿入孔３１ｂに挿入されており、また、圧縮バネ８１によりカム機構部７側に向けてバネ付勢されている。スライダ８は略棒状に形成されており、圧縮バネ８１の付勢力によりその一端が後述するレバー７２に当接する。スライダ８の中間には、引張バネ５１（図２参照）に対する逃がし部８ａ（図１(B) 参照）が形成されている。また、スライダ８の側面中間部には、ラッチ５の突出部５ａが係入する略三角形状の窪み８ｂ、８ｂが形成されている。なお、圧縮バネ８１の付勢力は、引張バネ５１の付勢力よりも大きく設定されており、圧縮バネ８１の付勢力によって、ラッチ５、５の窪み８ｂ、８ｂに対する係入離脱が可能となっている。
【００２０】
モータ室１３にはモータユニット６が収容されており、このモータユニット６に隣接してカム機構部７が配置されている。カム機構部７は、モータユニット６の出力軸６ａに固着されたカム７１と、このカム７１とスライダ８との間に配設されたレバー７２と、カム７１とレバー７２を内部に収容するレバーガイド７３とを有している。また、このカム機構部７はカバー１５（図１(B) 参照）によって覆われている。なお、図１(A) 、図４(A) 及び図５(A) では、レバーガイド７３の一部とカバー１５を切開して図示してある。
【００２１】
図８はレバー７２及びピン７５を示す図であり、図８(A) は図８(C) のＡ−Ａ線断面図である。このレバー７２は略矩形の形状をした樹脂製部品であり、カム７１が配置されるカム用空間７２Ａを有している。このカム用空間７２Ａの片側には袴部７２ａを有するとともにスライダ８側となる部分には押圧部７２ｂを有している。また袴部７２ａ及び押圧部７２ｂと一体になった本体部７２ｃを有している。押圧部７２ｂの内側はカム７１が当接する当接面７２１とされ、この当接面７２１の反対側はスライダ８に当接する押圧面７２２とされている。本体部７２ｃには、図８(F) に示すピン７５を嵌合するピン孔７２３と、モータユニット６の出力軸６ａを逃がすための長孔７２４が形成されている。また、袴部７２ａと本体部７２ｃとの角部には、図１(A) に示すコイルバネ７４を配設するための半円柱空洞状のバネ受け部７２５が形成されている。
【００２２】
図９はレバーガイド７３を示す図である。このレバーガイド７３は金属板で形成されており、略断面コ字状の形状で、両側に互いに平行なレール部７３ａ、７３ｂと、このレール部７３ａ、７３ｂを接続する天板７３ｃを有している。そして、このレール部７３ａ、７３ｂ及び天板７３ｃに囲まれるように、前記レバー７２が配置される。一方のレール部７３ａはレバー７２の袴部７２ａが摺接し、他方のレール部７３ｂはレバー７２の本体部７２ｃの側面が摺接する。また、他方のレール部７３ｂの前記モータユニット６側の端部には、カム７１との干渉を避けるためのカム逃げ部７３ｄが形成されている。
【００２３】
天板７３ｃには、レバー７２のピン孔７２３に嵌合されたピン７５を逃がすための長孔７３１が形成されるとともに、モータユニット６の出力軸６ａが挿入される軸孔７３２が形成されている。また、天板７３ｃのレール部７３ａ側には、レバー７２のバネ受け部７２５に整合する開口部７３３が形成されるとともに、この開口部７３３の一端には該バネ受け部７２５側に折り曲げたバネ当接部７３４が形成されている。そして、レバー７２をレバーガイド７３内に配置した状態で、開口部７３３からコイルバネ７４が配設されている。このコイルバネ７４の一端はレバー７２のバネ受け部７２５の内側端面に当接し、他端はレバーガイド７３のバネ当接部７３４に当接する。これにより、レバー７２は前記スライダ８から離間する方向に付勢されている。
【００２４】
図３に示すように、カム７１はモータユニット６の出力軸６ａを中心としてその軸から偏心したカム面７１ａを有している。そして、図の矢印Ａのようにカム７１が回転すると、カム面７１ａがレバー７２の当接面７２１を押し、このレバー７２をスライダ８側に移動させ、これに協働してスライダ８が矢印Ａ′の方向に移動する。図４はカム７１の回転角度に応じた動作を示す図であり、図４(A) 〜(F) はそれぞれ、０°、１５°、４５°、６０°、７５°及び９０°の状態を示している。一方、図４(F) の位置から図３の矢印Ｂのようにカム７１が回転すると、圧縮バネ８１の付勢力によりレバー７２及びスライダ８が矢印Ｂ′の方向に移動する。この矢印Ａ、Ａ′方向の動作は、レバー７２に嵌合されたピン７５を移動した場合も同様である。
【００２５】
上記のようにカム７１とスライダ８との間にレバー７２を配設しているので、カム７１の最大半径を従来よりも小さくすることができる。すなわち、モータユニット６はそのロータ及びコイル部により回動半径方向に有る程度の大きさが必要である。また、スライダ８は回動ブッシュ２内に収容できる範囲だけ移動させる必要がある。したがって、従来のようにレバー７２がなければ、カムは、モータユニット６の出力軸６ａからスライダ８が回動ブッシュ２内に収容された位置までの最大半径を必要とする。しかしながら、この実施例のようにレバー７２が配設されているので、押圧部７２ｂの厚み分だけカム７１の最大半径を小さくすることができ、カム７１はそのようになっている。これにより、扉用錠装置のサイズを小さくすることができる。
【００２６】
例えば、従来のシリンダ錠で解錠するタイプの錠装置では、モータユニットやカム等を必要としないので、小さなサイズとなっており、これを扉に取り付けるための金具等が、従来のモータユニットを備えた錠装置にはサイズの点から適用できないという問題があったが、実施例の扉用錠装置はサイズを小さくできるので、この既存の金具等をそのまま利用することもできる。
【００２７】
図１に示すように、カム機構７には縦長のプレート９が配設されている。このプレート９は硬質金属で形成され、カム機構７側の端部には内側に切り欠いた切り欠き部９ａが形成されるとともに、他端側には係合孔９ｂが形成されている。図１(B) に示すように、プレート９はカバー１５の開口（スリット）１５ａから挿入されており、図１(A) に示すように、上記切り欠き部９ａ内にピン７５が係合して配置されている。なお、この状態はカバー１５を取り付けた後でも実現できる。そして、このプレート９をカバー１５内に向けて押し込むことにより、切り欠き部９ａに係合するピン７５が移動し、図３と同様にスライダ８が移動する。
【００２８】
以上の構成により、実施形態の扉用錠装置は次のように動作する。モータユニット６は、図示しない制御部がモーターを作動させることで、電気的に扉用錠装置の解錠を行うものである。また、制御部は例えば自動販売機に設けられたアンテナ部によりＩＣカード等から所定の解錠用コード（あるいは管理者コード）を受信することで、モータを作動させる。さらに、制御部はタイマー等を有しており、解錠がなされて所定時間を経ると元の状態に戻るような制御プログラムが組み込まれている。なお元の状態に戻るように制御することで、施錠後に誤って例えば解錠カードをかざして解錠してしまっても、施錠状態になる。これにより、防盗性の向上を図ることができる。
【００２９】
モータユニット６の駆動により、図１の状態から前記カム機構７の作用により、スライダ８が移動し、図５(A) のように、スライダ８の窪み８ｂ、８ｂがラッチ５（突出部５ａ）の位置となる。ここで、ラッチ５、５には、スプリング４の付勢力が間接的に掛かっているので、図２に示すように、ラッチ５、５には係合凹部１４，１４に圧接されており、この係合凹部１４，１４との間に摩擦力が作用している。したがって、このラッチ５、５は図５(A) の位置にある。この状態でタイマー等により上記所定時間が経過すると、図１の状態に戻る。
【００３０】
次に、この状態からハンドル３を押し込むと、ラッチ５、５と係合凹部１４、１４とがスプリング４の付勢力の作用する方向において非接触状態となり、ラッチ５、５にスプリング４の付勢力が掛からなくなる。したがって、ラッチ５、５が引張バネ５１により互いに引き寄せられて係合凹部１４、１４から離脱し、図６に示すように、ラッチ５、５の突出部５ｂ、５ｂがスライダ８の窪み８ｂ、８ｂに入り込むのでラッチ５が係合凹部１４から離脱する。これにより、図７に示すように、ハンドル３がケース１の表面から突出し、ハンドル３（及び回動ブッシュ２）を回動して扉の解錠が可能となる。なお、閉扉して施錠する際には、所定時間の経過によりカム７１、レバー７２及びスライダ８が既に初期位置に復帰していることから、ハンドル３を没入するだけで施錠が完了する。
【００３１】
次に、非常解錠する場合について説明する。図１０は実施形態の扉用錠装置を非常解錠用のシリンダ錠１０に連結した状態を示す図であり、図１０(A) は正面図、図１０(B) は側面図である。このシリンダ錠１０は例えば自動販売機の扉に取り付けられており、回動軸１０ａにはプレート９の係合孔９ｂに係合する係合アーム１０ｂが取り付けられている。非常解錠時には、シリンダ錠１０をマスターキー等で回動する。これにより、シリンダ錠１０の回動軸１０ａが図の矢印Ａのように回動し、プレート９が矢印Ａ′の方向に移動する。これにより、前記ピン７５を介してレバー７２及びスライダ８が解錠方向に移動し、前記同様に解錠が可能になる。
【００３２】
なお、この実施形態では、非常解錠する場合も、モータユニット６の駆動による通常の解錠動作で作動するカム７１及びレバー７２を作動させるので、例えば定期的に作動する部材を使うことになり、非常解錠時の動作も信頼性が高くなる。従来のように非常解錠専用のカム等を用いると、非常解錠は滅多に行わないことからこのカム等が作動しない可能性もあるが、この実施例ではこのようなことはない。
【図面の簡単な説明】
【００３３】
【図１】本発明の実施形態の扉用錠装置の施錠状態を示す一部破砕平面図及び縦断面図である。
【図２】同施錠状態の水平断面図である。
【図３】同扉用錠装置のカム機構を示す図である。
【図４】同扉用錠装置のカムの回動状態を示す図である。
【図５】同扉用錠装置の解錠状態を示す一部破砕平面図及び縦断面図である。
【図６】同解錠状態でハンドルを押圧した状態の一部破砕平面図及び縦断面図である。
【図７】同扉用錠装置のハンドルのポップアップ状態を示す水平断面図及び縦断面図である。
【図８】同扉用錠装置のレバー及びピンを示す図である。
【図９】同扉用錠装置のレバーガイドを示す図である。
【図１０】同扉用錠装置を非常解錠用のシリンダ錠に連結した状態を示す図である。
【符号の説明】
【００３４】
１      ケース
２      回動ブッシュ
３      ハンドル
４      スプリング
５      ラッチ
６      モータユニット
７      カム機構部
８      スライダ
１４    係合凹部
３１    軸部
３２    レバー部
７１    カム
７２    レバー
７３    レバーガイド
７５    ピン
【図１】
0005096204.tif 000002
【図２】
0005096204.tif 000003
【図３】
0005096204.tif 000004
【図４】
0005096204.tif 000005
【図５】
0005096204.tif 000006
【図６】
0005096204.tif 000007
【図７】
0005096204.tif 000008
【図８】
0005096204.tif 000009
【図９】
0005096204.tif 000010
【図１０】
0005096204.tif 000011